(57)【要約】移動電話が、携行するユーザが操作可能であるラウドスピーカ（２），マイクロフォン（５），スクリーン（３）及びキーボード（４）のような移動個人通信の固定された基本要素のグループから構成される。この移動電話は、赤外線光学信号によって通信する送信手段から構成され、全体でマイクロ波放出機能がない。この移動電話は、ユーザが放射の悪影響を受ける全マイクロ波出力を測定する手段から構成され、マイクロ波受信機を有し、このマイクロ波受信機は、接続信号を有するメッセージを受信することを可能にし、赤外線光学信号によってその他の同様な移動電話との直接の通信を確立する手段を有する。移動電話は、赤外線光学センサ（１５）を有する通信手段から構成され、この通信手段は、建物（２１）の内側と外側、都会の電柱（２０）及び交通手段の内側と外側に設置され、導線又は赤外線光学機器を通じて内部交換サーバ（１６）に接続されていて、この内部交換サーバ（１６）は、マイクロ波放出機能がなく、信号を固定電話通信網とその他の同様な内部交換サーバ（１６）とに対して送信できる。
2005505191.tif 000002
【特許請求の範囲】
【請求項１】
個人通信用の移動電話（１）にあって、この移動電話（１）は、携行するユーザが操作可能であるラウドスピーカ（２），マイクロフォン（５），スクリーン（３）及びキーボード（４）のような移動個人通信の固定された基本要素のグループから構成され移動電話（１）において、この移動電話（１）は、赤外線光学信号によって通信する送信手段から構成され、全体でマイクロ波放出機能がないことを特徴とする移動電話（１）。
【請求項２】
移動電話（１）は、ユーザが放射の悪影響を受ける全マイクロ波出力を測定する手段から構成され、マイクロ波受信機を有し、このマイクロ波受信機は、接続信号を有するメッセージを受信することを可能にし、赤外線光学信号によってその他の同様な移動電話との直接の通信を確立する手段を有することを特徴とする請求項１に記載の移動電話（１）。
【請求項３】
移動電話（１）は、赤外線光学センサ（１５）を有する通信手段から構成され、この通信手段は、建物（２１）の内側と外側、都会の電柱（２０）及び交通手段の内側と外側に設置され、導線又は赤外線光学機器を通じて内部交換サーバ（１６）に接続されていて、この内部交換サーバ（１６）は、マイクロ波放出機能がなく、信号を固定電話通信網とその他の同様な内部交換サーバ（１６）とに対して送信でき、建物の内側と外側、公共道路の近く及び交通手段で移動通信を確立することを特徴とする請求項１又は２に記載の移動電話（１）。
【請求項４】
内部交換サーバ（１６）は、導線を通じてマイクロ波送受信機能を有する外部集中交換機（１７）に接続され、この外部集中交換機は、建物，公共の道路や交通手段内に配置され、健康安全基準の上にあるユーザから離れて位置し、中継基地局との長距離通信で、さらにサテライトを介した通信でマイクロ波信号を送信できることを特徴とする請求項３に記載の移動電話（１）。
【請求項５】
内部交換サーバ（１６）は、自動車内部に設置され、内蔵された１つ又は幾つかの赤外線光学センサを有し、外部集中交換機（１７）に接続されていて、この外部集中交換機は、自動車の車体に設置され、そして外部反射機として使用されかつ中継基地局とサテライトを介してマイクロ波信号を送受信するために適合されていて、その結果、この金属の車体は、ユーザへのマイクロ波照射に対するシールドであることを特徴とする請求項３又は４に記載の移動電話（１）。
【請求項６】
内部交換サーバ（１６）は、内蔵された１つ又は幾つかの赤外線光学センサを有する電柱や高い電灯に設置され、導線又は赤外線光学信号を通じて外部集中交換機（１７）に接続され得ることを特徴とする請求項３〜５のいずれか１項に記載の移動電話（１）。
【請求項７】
移動電話（１）は、ハンドフリー手段による通信手段から構成されることを特徴とする請求項１〜６のいずれか１項に記載の移動電話（１）。
【請求項８】
移動電話（１）は、コンピュータ，電子機器，テレビ，ガレージ遠隔制御部及び遠隔制御によって起動される機構を有する光学通信手段から構成されることを特徴とする請求項１〜７のいずれか１項に記載の移動電話（１）。
【請求項９】
移動電話（１）は、音や画像の記録手段及び／又は再生手段から構成されることを特徴とする請求項１〜８のいずれか１項に記載の移動電話（１）。
【請求項１０】
移動電話（１）は、計算機，ファイル，時計やアラームのような個人情報手段から構成され、大きいキーボード，本形状のスクリーン及び開閉手段と共に適合されることを特徴とする請求項１〜９のいずれか１項に記載の移動電話（１）。
【請求項１１】
移動電話（１）は、光起電エネルギーを取り出す手段から構成されることを特徴とする請求項１〜１０のいずれか１項に記載の移動電話（１）。
。
【請求項１２】
移動電話（１）は、クレジットカードから構成されることを特徴とする請求項１〜１１のいずれか１項に記載の移動電話（１）。
【請求項１３】
移動電話（１）は、赤外線光学信号を増幅するために適合され、個人使用用の鏡として使用され、照明手段及び発光サインに適合された反射要素から構成されることを特徴とする請求項１〜１２のいずれか１項に記載の移動電話（１）。
【請求項１４】
移動電話（１）は、耐水性手段から構成され、水中に沈められることを特徴とする請求項１〜１３のいずれか１項に記載の移動電話（１）。
【発明の詳細な説明】
【技術分野】
【０００１】
本発明は、マイクロ波放射設備を有さず、マイクロ波放射を検出するために適合される個人通信用の移動電話に関する。この種類の移動電話は、この移動電話を携行するユーザによって操作可能なラウドスピーカ，マイクロフォン，スクリーン及びキーボードのような移動個人通信の固定された基本要素のグループから構成される。
【背景技術】
【０００２】
その操作が簡単で、楽で、移動が自由でかつ設置コストが低いために、移動電話の使用が急速に広まっている。しかしながら、長期間の健康保護手段は、詳しく報道されておらず出版もされていない。
【０００３】
公共健康保護制度は、「警戒基準(Precaution Coefficient)」及び科学的な研究に重点をおくべきであり、かつこれらのシステムの「無害」を証明すべきである。Dr.Frey による研究によれば、1960年代以降、これらのマイクロ波放射線が脳を透過し、頭痛を引き起こすことが知られている。
【０００４】
ノーベル賞に２回候補にあがっている世界的な専門家Dr.Robert O.の意見は、物理学者や技術者によって適用された根拠が最初から正しくないと主張している。
【０００５】
1996年以来継続して発行されているユーザに通知可能である公式な技術情報では、現在の移動電話がユーザの脳の内部に放出する出力は、CENELEC 50166-2 for Informed "workers"によって規定された限界値である最大で「６分」の照射で2250μW/cm2 を超えるかもしれない。
【０００６】
ユーザの脳の内部に放射されるこれらのマイクロ波放射は、太陽の自然放射の数百万倍よりも大きいかもしれない。マイクロ波放射は、細胞間のやりとりを変えるかもしれないし、非常に接近したときの受動放射として子供，障害者や妊婦に影響を与えるかもしれない。
【０００７】
第一に、個人の移動電話によって放出される放射と基地局によって発生される不変な放射とを区別しなければならない。
【０００８】
移動電話は、1000メートルの半径より大きい大きな球を形成するマイクロ波のパルスを放出し、その中心にユーザがいる。この出力は、太陽の自然放射より大きく、80メートルの距離にも達し、移動電話から８メートルの距離までは染色体を変えうる。
【０００９】
基地局は、ビーム状のマイクロ波のパルスを射出する。このパルスは、30,000メートルまでの距離に達しることができ、3,000 メートルの距離までは太陽の自然光のレベルを超えうる。このレベルは、300 メートルの距離までは染色体を変えうる。この基地局では、この放射線が、情報も知らず監視もされない受身な全住人に対して昼夜、すなわち一週間に168 時間放出されている。
【００１０】
RCR Wireless Magazine は、2001年６月４日に移動電話がミエリンのニューロンを変えうることを公表した。
【００１１】
1995年のNokia の特許は、移動電話の放射がニューロンの神経繊維を隔離するミエリン細胞郡を攻撃し、電気信号を全身に送ることを可能にする「ことを暗示する」。移動電話が、「最悪の場合」グリオーム、脳の横方内の腫瘍一種を引き起こしうる「ことも暗示する」。これらの無線周波数の放射線に連続して曝されることは、これらの放射線がミエリン層を弱め、あるいわ聴力，旋回能力等に影響を与えうる。
【００１２】
ユーザ自身及び近くにいる受身の全住人に対する今日の健康リスクを検査するため、公表された２つの重要な健康の変化に注目する：
１．脳障壁の変化。この脳障壁は、1972年以来証明され発行されている。スウェーデンのLund大学のDr.Lief Salford によって実施された調査にしたがってニュージーランドのDr. Neil Cherry によって提供された情報は、２分より長く移動電話を使用することが脳障壁を破り、プリオンを含む血液ウィルスが脳に侵入しうることを示す。
２．染色体の変化。Dr. H. Lai, Washingtonによって1995年以来公表されている。彼は、移動電話のマイクロ波の放射が0.1 μW/cm2 の低い出力レベルでかつ長期間に現れうる健康の変化のリスクを伴って染色体を変化させることを報告している。
【００１３】
Dr. L. V. Klitzingは、1994年に脳電図（ＥＥＧ）における変化を出版した。この変化は、0.1 μW/cm2 の出力レベルに対して現れる。
【００１４】
ニュージーランドの研究者Dr. Neil Cherry は、40を超える研究で記された兆候を詳しく説明している。これらの研究は、移動電話の放射線の有害な効果を示す。これらの生物学的変化、「マイクロ波症候群」として知られている。
【００１５】
健康保護手段を確立するためには、第一に影響を受ける全住人に知らせることが必要である。この情報は、ユーザに対して真実が知らされそのユーザが曝されている放射線の高出力について正確に選択され、そして可能な安全距離をとることを可能にする必要がある。
【００１６】
これに関して、「９段階の衛生上のリスクスケール」が開発されている。この「９段階の衛生上のリスクスケール」は、1999年にマドリッド（スペイン）のAlcala de Henares のバイオ電磁会議で発表された。このスケールは、９段階のリスクを規定することを可能にし、対数である。すなわち、出力が、スケールの各段階ごとに10倍に増える。
【００１７】
自然レベルに対して放出された人工出力の増加は、９段階の長期間の衛生上のリスクを規定することを可能にする。これは、現在のリスクの高い段階について正確で簡単で理解できる方法を知らせ、移動電話の使用に対する安全な距離の評価及び基地局の位置の評価による保護手段を発展させることを可能にする。
【００１８】
健康を守るため、新しい「安全係数50,000」が、警戒基準として提案されている。この安全係数50,000は、危険レベルを示さない現在の「係数５」の代わりに使用すべきである。「スケールの９段階」は、ユーザの頭が熱源の内部にあることを移動電話のそのユーザに理解させる（ＤＥＧＲＥＥ９）。
【００１９】
確認される衛生上の危険及び脳の一部，目，耳、特にユーザの手の「熱的変化」を図１中に詳しく説明する。
【００２０】
【表１】
2005505191.tif 000003
本発明は、この新しい安全係数50,000を達成する手段によって健康を長期間保護する新規で革新的な手段を提供する。
【００２１】
移動電話は、放射出力を受けやすい。この放射出力は、脳の自然な信号の放射出力の数十憶倍になりうる。これらの放射出力は、高い健康リスクを呈するパルス放射である。
【００２２】
このスケールは、屋内，輸送手段内で近くにいるときに受身の全住民がＤＥＧＲＥＥＳ６，７及び８で悪影響を受けることを証明することが可能である。
【００２３】
ニュージーランド内の基地局においては、基地局の不変な放射に対する２μW/cm2 の出力制限が、1995年から法制定されている。幼児の白血病の悪影響を受けるリスクが、2.4 μW/cm2 のレベルで公式に確認されている。
【００２４】
しかしヨーロッパでは、450 μW/cm2 の出力が、1999年から人への不変な放射に対して推奨されている。この出力は、ニュージーランドで公表された幼児の白血病を引き起こすリスクに対して既に法制定された出力の225 倍大きい。「健康リスク距離」及び保護手段についてヨーロッパで知らせることに意味があろう。
【００２５】
現在の移動電話では、いわゆる「移動電話出力誤差」が存在する。この誤差によれば、移動電話の出力が、2Wであるうる。しかしＳＡＲ(Specific Absorption Rate)に基づく「公式な熱規定」によれば、この出力は0.6Wを超えてはならない。さらに、画像を有する新世代の電話は大電力を必要とする。
【００２６】
ドイツ連邦共和国実用新案第295 08 792号明細書は、放射線に対して保護する装置を有する移動電話を記す。この移動電話は、無線周波数の電磁波及び／又はマイクロ波用の受信装置；無線周波数の電磁波及び／又はマイクロ波用の送信装置並びにこの個人通信グループから分離されているアンテナから構成され、かつラウドスピーカ要素；マイクロフォン；キーボード；スクリーン及びケースから構成される。これらは、入れ子式に連結されていて、送信グループをユーザから隔離し、移動電話のケースに対して必ず必要である。
【００２７】
他方でドイツ連邦共和国特許出願公開第 43 30 436号明細書が、セルラー移動電話の実施の形態を記す。このセルラー移動電話では、マイクロ波送信グループとの直接な通信が無線で実現される。
【００２８】
ヨーロッパ特許第 1 091 541号明細書も、ユーザに対するマイクロ波の低減に関する。この低減のため、ユーザが、支持ハンドルの手段によってマイクロ波送信機から隔離され、健康安全距離内でユーザの手を保護することを可能にする。この支持ハンドルは、有線又は無線の接続による通信を確立する。
【００２９】
長期間の健康の安全性を「保証」できるようにするためには、移動電話からの分離距離が20メートルでなければならず、公共のスペースと輸送手段に限定されることを認める必要がある。
【００３０】
メラトニンを変えるリスクを伴い昼夜放出する基地局の位置は、この距離が都会の中心地の外側の基地局の位置に対して数キロメートルでなければならないことを推奨する。
【００３１】
この明細書では、マイクロ波の放射グループがユーザの周囲に存在し、屋内の今日の無線通信のスイッチボードに対する産業的解決を提供せず、かつこれらの移動電話に対して類似の問題も有する。
【００３２】
それにもかかわらず、染色体の変化の健康のリスクは、移動電話をユーザと公衆に対して通常８メートル離すことを要求する。しかしメラトニンを変えるリスクも、考慮すべきであり、したがって距離が増大する。このことは、上述した明細書を含めて今日の移動電話では許されない。
【００３３】
国際特許発明第99/67935号明細書は、使用と測定の間に発生した放射線に対して保護する装置を有する移動電話を記す。この移動電話は、この問題を解消することを可能にする。この目的のため、この明細書は、各ユーザ用の個人通信によってマイクロ波放射の信号の送受信機グループを集合的に使用することを記す。この送受信グループは、ユーザに対して遠くに配置され得、建物や輸送手段の上部に設置され得、全ての健康問題に対して実際に解決し、現在提起されている欠点を排除し、電磁放射に関連するリスクに対してユーザの健康を高いレベルで長期間保護する。
【００３４】
要するに、国際特許発明第99/67935号明細書の明細書は、無線周波数及び／又はマイクロ波の電磁波用の受信機、無線周波数及び／又はマイクロ波の電磁波用の送信機並びに可動グループ要素を形成するアンテナ若しくはユーザ用のハンドルを備えた送受信放射グループから構成される。このハンドルは、入れ子式に伸ばすことが可能であり、ユーザの手を保護し、個人通信グループから分離可能であり、この個人通信グループと無線又は有線で通信される。こうして、可動グループが放射送受信グループから0.08又は0.12メートルより大きく離れるように、この可動グループはユーザの手によって支持され得る。放射送受信機グループは、ケース内に合わせることによってケース内に可動に挿入することができる。したがって、放射送受信機グループは、通信の間に個人通信グループから分離できる。この放射送受信機グループは、十分な距離で離すことができる。その結果、個人通信グループ、すなわちユーザに到達する放射エネルギーの出力密度が、有線又は無線による放射送受信機グループと個人通信グループとの間の通信を維持しつつ予め規定した最大値より小さい。このことは、ユーザに到達する出力密度を可能な限り小さくし、現在の移動電話の放射を99％より大きく低減する。
【００３５】
上述した特許で言及されていない無線通信スイッチボードに関連して、これらのスイッチボードは、屋内に設置され、外側で300mで内側で50m の範囲を有する小さい基地局のような無線周波数を昼夜放出できる点に注目すべきである。
【００３６】
これらの新システムは、ユーザと影響を受ける家族に関する健康情報なし、出力や安全距離についての情報を与えることなしに、特に彼らがもつ潜在的健康リスクについての情報を与えることなしに導入されている。
【００３７】
本発明は、新規で革新的な移動電話通信システムを提供することによって従来の技術よりも改良されている。一般に無線と移動通信で健康を保護するため、保護シールドのないマイクロ波送信機を屋内に持ち込まない目的で、この移動電話システムは、マイクロ波送信機なしに個人通信グループを使用し、屋内及び交通手段内部に設置された無線スイッチボードと通信し、マイクロ波を放出する機能もない。
【００３８】
人に対する最大放射を上述したスケールのＤＥＧＲＥＥ５に制限することが可能である。
【発明の開示】
【発明が解決しようとする課題】
【００３９】
本発明の課題は、赤外線光学信号の手段によって通信する送信手段から構成され、全体でマイクロ波放出機能のないことを主に特徴とする冒頭で述べた種類の移動電話を提供することにある。
【００４０】
本発明のもう１つの特徴によれば、移動電話が、ユーザが放射として悪影響を受けるマイクロ波の全出力の測定手段を有する；そしてこの移動電話は、マイクロ波受信機を有する。このマイクロ波受信機は、接続信号を有するメッセージを受信することを可能にし、かつ赤外線光学信号によってその他の類似の移動電話と直接通信することを確立する手段を有する。したがってこの移動電話は、出力測定機能に加えて「ページャ」として使用され得る。
【００４１】
本発明の移動電話は、建物の内側と外側，都会の電柱及び交通手段の内側と外側に設置された赤外線光学センサを有する通信手段から構成され、導線又は赤外線光学機器を通じて内部交換サーバに接続される。この内部交換サーバは、マイクロ波を放出する機能がなく、信号を固定電話通信網とその他の類似の内部交換サーバとに送信でき、建物の内側及び外側，公共道路の近く並びに交通手段で移動通信を確立する。
【００４２】
内部交換サーバは、導線を通じて外部集中交換機に接続され得る。この外部集中交換機は、建物，公共の道路や交通手段内に配置され、健康安全基準の上にあるユーザから離れて位置し、中継基地局との長距離通信で、さらにサテライトを介した通信でマイクロ波信号を送信できるように適合されている。
【００４３】
本発明のその他の特徴によれば、内部交換サーバが、自動車内部に設置され、内蔵された１つ又は幾つかの赤外線光学センサを有し、外部集中交換機に接続されている。この外部集中交換機は、自動車の車体に設置され、そして外部反射機として使用されかつ中継基地局とサテライトを介してマイクロ波信号を送受信するために適合されている。その結果、この金属の車体は、ユーザへのマイクロ波照射に対するシールドである。
【００４４】
その代わりに、内部交換サーバが、内蔵された１つ又は幾つかの赤外線光学センサを有する電柱や高い電灯に設置され、導線又は赤外線光学信号を通じて外部集中交換機に接続されてもよい。
【００４５】
好ましくは、電話がハンドフリー手段による通信手段から構成される。
【００４６】
本発明の移動電話は、コンピュータ，電子機器，テレビ，ガレージ遠隔制御部及び遠隔制御によって起動される機構を有する光学通信手段からも構成できる。
【００４７】
本発明の別の実施の形態によれば、移動電話が、音や画像の記録手段及び／又は再生手段から構成される。
【００４８】
その他の実施の形態によれば、個人情報が、計算機，ファイル，時計やアラームに対して提供され、大きいキーボード，本形状のスクリーン及び開閉手段と共に適合される。
【００４９】
本発明の実施の形態によれば、電話が、光起電エネルギーを取り出す手段から構成できる。
【００５０】
その他の実施の形態では、クレジットカードの提供が考えられる。
【００５１】
本発明の電話は、赤外線光学信号を増幅するために適合され、個人使用用の鏡として使用され、照明手段及び発光サインに適合された反射要素からも構成できる。
【００５２】
その他の実施の形態では、本発明の移動電話が、耐水性手段から構成され、水中に沈められる。
【００５３】
本発明の移動電話は、マイクロ波送信機がなく、赤外線光学信号だけを放出し、単一の又は多重の赤外線光学センサと通信し、ユーザの自己防衛を制御することを可能にし、重大な健康リスクから守る。
【００５４】
本発明は、無線周波数を放出する現在の屋内無線電話を可能にし、マイクロ波送信機のない内部スイッチボードによって代用され、屋内で全住人によって要求される健康を「保証」する。
【００５５】
本発明は、全ての移動電話に関する現在重大な健康リスクを解決し、全日と年間にわたって「健康を保証する」。
【００５６】
本発明の移動電話の有益な用途のうちの１つの用途は、電子レンジ，現在の移動電話，特に基地局等のような制御されないマイクロ波放出に起因するユーザに対するマイクロ波放射を測定できる。
【００５７】
本発明は、追加の利点として電車，バスや自動車内での内部スイッチボードに接続された内部赤外線光学センサとの移動通信を解決する。この内部スイッチボードは、マイクロ波放出機能がなく、そのために要求される健康安全性を伴って乗り物の屋根に設置された外部マイクロ波送受信機に接続されている。
【００５８】
さらにこの内部スイッチボードは、電子機器との通信を可能にし、ユーザに対するあらゆる健康リスクなしに何時間でもこの動作を維持可能にする。
【００５９】
赤外線光学信号エネルギーが低下するので、本発明の移動電話は、エネルギー消費、特にバッテリー消費を低減させる。マイクロ波出力が都心の基地局に対して直接送信され、電力供給が電気配線網で交換されるので、本発明の移動電話は環境汚染を低減する。本発明の移動電話は、送信ゲインを送信できるように設置されたマイクロ波送信機を最小出力で可能にする。
【００６０】
本発明は、全マイクロ波の汚染及び消費を低減しつつ基地局を都心から遠ざけることを可能にする。
【００６１】
低バッテリー消費のこの新規の移動電話は、会話時間を長くし、画像を含む情報を増大させる。
【００６２】
以下に、本発明の実施の形態を範囲を限定することなしに説明する。
【発明を実施するための最良の形態】
【００６３】
移動電話１は、既に公知であるようにラウドスピーカ要素２，マイクロフォン５，キーボード４，スクリーン３，これらを機構的に保護するケース６及びバッテリー７又は従来の出力電源から構成される。これらの全ての要素は、互いに必須であり、ユーザが携行して正しく操作するために適合されている。この移動電話１の主な特徴として、この移動電話１は、送信機及び赤外線受信機を有する。これらは、単一又は多重でもよい。これらは移動電話ケース６に内蔵されているので、これらの各々は別々に示されない。これらは、赤外線光学信号を放射状に放出する手段８を有する。
【００６４】
図２中には、移動電話１の側面が示されている。この移動電話１では、従来の方法でバッテリー７が移動電話のケース内に設置されてもよく、光起電エネルギーを生成する要素を設置してもよい。
【００６５】
停止状態と操作状態で示されているこの移動電話１は、従来の移動電話の外観を有するコンパクトなモデルである。
【００６６】
図３は、本発明の移動電話の特定の使用形態を示す。この場合、赤外線光学センサ１５は、多重であり、内部交換サーバ１６に対して必須である。この内部交換サーバ１６は、乗り物の内部にあり、同時にマイクロ波の外部か又は送受信交換機１７に接続されていて、乗り物の金属車体によって内部交換サーバ１６から分離されている。この車体は、耐放射性であり、ユーザを有害なマイクロ波放射から守るように、追加の保護を提供する金属シールドを形成し、遠く離れた基地局との通信を確立することを容易にする。その他に示された放射状に放出する手段は、送受信機からのゲインを増幅し、信号の品質を向上させ、出力を下げ、汚染なしにエネルギー損失なしに通信を実施する。
【００６７】
図４は、多重赤外線光学センサ１５の幾つかの設置方法を示す。多重赤外線光学通信を容易にし、移動電話とその他の交換サーバに向けたより良好な信号の指向放射を確立するため、これらのセンサ１５は、例えば直線状に、平行に円状に配置される。
【００６８】
図５は、赤外線光学センサが設置されている図である。これらのセンサは、窓，内部及び建物の外壁に設置されていて、導線１９を通じて内部交換サーバ１６に接続され、その他の交換サーバと赤外線光学無線で通信する。これらのその他の交換サーバは、マイクロ波放出機能を有さず、電柱，高い照明手段や従来の電話ボックスに設置でき、互いに接続されて建物の内部及びその近くで直接通信を確立し、かつ電話通信網に接続できる。
【００６９】
図６は、外部交換サーバ１７の一例を示す。このサーバ１７は、マイクロ波の送受信機能を有し、建物２１の最も高い地点に配置されている。このサーバ１７は、単一放射手段を有し、導線１８を通じて内部交換サーバ１６に接続されている。この内部交換サーバ１６は、マイクロ波放出機能がなく、マイクロ波放出機能のないその他の交換サーバ１６と赤外線光学無線で通信できる。これらの交換サーバ１６の各々は、コード１９を通じて又は無線で赤外線光学センサ１５に接続されている。これらのセンサ１５は、移動電話１との通信を確立する。
【００７０】
マイクロ波を送受信し、建物や交通手段の最上部に設置された外部交換サーバ１７の形は、本発明の原理の範囲内で図で説明した形と異なってもよい。この外部交換サーバ１７は、バスや電車のような異なる自動車にも同様に適用できる。
【００７１】
説明した本発明の特徴は、説明した実施の形態でその基本的な原理を変えないか又は変更しない。
【００７２】
これに関して、移動電話１の形，構造及び材質は、本発明の範囲に関係なくどんな種類のものでもよい。すなわち、赤外線光学送受信機は、単一でも多重でもよく、通信が容易で信号の品質を向上するならばどんな形でもよい。
【００７３】
乗り物の屋根に設置されたマイクロ波送受信機１７がマイクロ波放射機として使用されるか又はゲインとマイクロ波信号の品質を向上させるその他の代わりの放射手段として使用されるように、明らかにこのマイクロ波送受信機１７は、湾曲した金属車体内に組み込むことができる。
【図面の簡単な説明】
【００７４】
【図１】本発明の移動電話の正面図である。
【図２】図１の移動電話の側面図である。
【図３】アプリケーションシステムにしたがって自動車内で作動する移動電話の断面図である。この移動電話は、単一の又は多重の赤外線光学センサと無線で通信し、内部交換サーバに接続されているセンサグループを有し、マイクロ波放出機能がなく、そのために自動車の屋根又は公共の交通手段に設置された外部交換サーバに接続されていて、そして信号の品質を向上して出力を下げるための増幅手段を有する。
【図４】多重赤外線光学センサの正面図である。これらのセンサは幾つかのセンサを有し得る。この図は、直線で平行なパイプ形状及び円形の多重センサを示す。
【図５】建物の内部とその外側の近くに内部と内部の単一の又は多重の赤外線光学センサを有する本発明の移動電話の使用形態を示す投影図である。これらのセンサは、導線又は赤外線光学機器を通じて屋内又は電柱に設置された内部スイッチボードサーバに接続されている。これらのサーバは、マイクロ波放出機能がなく、近くでの通信を確立し、そのために導線を通じて固定電話通信網に接続できる。
【図６】幾つかの内部スイッチボードサーバを有する本発明の使用形態を示す投影図である。これらのサーバは、マイクロ波放出機能がなく、導線を通じて外部集中交換機に接続されている。この外部集中交換機は、マイクロ波を送受信する機能を有し、そして好ましくは都心の外側でサテライトを介して離れた基地局と通信を確立するため、要求される安全距離内に設置される。
【符号の説明】
【００７５】
１  移動電話
２  ラウドスピーカ要素
３  スクリーン
４  キーボード
５  マイクロフォン
６  ケース
７  バッテリー
１５  赤外線光学センサ
１６  内部交換サーバ
１７  外部交換サーバ
１８  導線
１９  コード
２０  電柱
２１  建物
【国際公開パンフレット】
2005505191.tif 000004
2005505191.tif 000005
2005505191.tif 000006
2005505191.tif 000007
2005505191.tif 000008
2005505191.tif 000009
2005505191.tif 000010
2005505191.tif 000011
2005505191.tif 000012
2005505191.tif 000013
2005505191.tif 000014
2005505191.tif 000015
2005505191.tif 000016
2005505191.tif 000017
2005505191.tif 000018
2005505191.tif 000019
2005505191.tif 000020
2005505191.tif 000021
2005505191.tif 000022
2005505191.tif 000023
2005505191.tif 000024
2005505191.tif 000025
2005505191.tif 000026
2005505191.tif 000027
2005505191.tif 000028
2005505191.tif 000029
2005505191.tif 000030
2005505191.tif 000031
2005505191.tif 000032
【国際調査報告】
2005505191.tif 000033
2005505191.tif 000034
2005505191.tif 000035
2005505191.tif 000036